【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】
情報の組を発送する方法であって、
複数のフラグメントを有する情報の組を受信するステップと、
送信キューが所定の閾値を越えるかどうかを決定するステップと、
前記送信キューが前記所定の閾値を越えなかったとの決定に応答して、前記フラグメントに前記送信キューを追加するステップと、
前記情報の組の全部の他のフラグメントが受信された時点での前記送信キューのサイズと無関係に、前記他のフラグメントが受信されたときに前記他のフラグメントを前記送信キューに追加することを保証し、もって前記情報の組の全部のフラグメントが前記送信キューに追加されることを保証するステップと、
を備える方法。
【請求項２】
保証する前記ステップが、
前記情報の組と関連するレコードを生成するステップと、
前記レコードに、前記情報の組の全部のフラグメントが前記送信キューに追加されるべきであることの指示を蓄積するステップと、
を備える、請求項１に記載の方法。
【請求項３】
保証する前記ステップが、
前記他のフラグメントのうちの少なくとも１つのフラグメントを受信するステップと、
前記レコードが、前記情報の組の全部のフラグメントが前記送信キューに追加されるべきであることの指示を含むかどうかを決定するステップと、
前記レコードが、前記情報の組の全部のフラグメントが前記送信キューに追加されるべきであることの指示を含むかどうかの決定に応答して、前記の少なくとも１つの他のフラグメントが受信される時点での前記送信キューのサイズに無関係に、前記少なくとも１つのフラグメントを前記送信キューに追加するステップと、
を更に備える、請求項２に記載の方法。
【請求項４】
前記送信キューが前記所定の閾値を越えなかったとの決定に応答して、前記フラグメントを前記送信キューに追加することを先送りするステップと、
前記情報の組の全部の他のフラグメントが受信されたとき、前記全部の他のフラグメントが前記送信キューに追加されるわけではないことを保証するステップと、
を更に備える、請求項１に記載の方法。
【請求項５】
前記全部の他のフラグメントが前記送信キューに追加されるわけではないことを保証する前記ステップが、
前記情報の組と関連するレコードを生成するステップと、
前記レコードに、前記情報の組の全部のフラグメントが前記送信キューに追加されるわけではないとの指示を蓄積するステップと、
を備える、請求項４に記載の方法。
【請求項６】
全部の他のフラグメントが前記送信キューに追加されるわけではないことを保証する前記ステップが、
前記他のフラグメントのうちの少なくとも１つのフラグメントを受信するステップと、
前記レコードが、前記情報の組の全部のフラグメントが前記送信キューに追加されるべきものであるわけではないとの指示を含むかどうかを決定するステップと、
前記情報の組の全部のフラグメントが前記送信キューに追加されるべきであるわけではないとの指示を前記レコードが含むかどうかの決定に応答して、前記少なくとも１つのフラグメントを前記送信キューに追加することを先送りするステップと、
を更に備える、請求項５に記載の方法。
【請求項７】
情報を発送する装置であって、
複数のフラグメントを有する情報の組のフラグメントを受信する機構と、
送信キューが所定の閾値を越えたかどうかを決定する機構と、
前記送信キューが前記所定の閾値を越えなかったとの決定に応答して、前記フラグメントを前記送信キューに追加する機構と、
前記情報の組の他の全部のフラグメントが受信された時点での前記送信キューのサイズと無関係に、前記他のフラグメントが受信されたときに前記他のフラグメントを前記送信キューに追加することを保証し、もって前記情報の組の全部のフラグメントが前記送信キューに追加されることを保証する機構と、
を具備する装置。
【請求項８】
保証する前記機構が、
前記情報の組と関連するレコードを生成する機構と、
前記レコードに、前記情報の組の全部のフラグメントが前記送信キューに追加されるべきであるとの指示を蓄積する機構と、
を備える、請求項７に記載の装置。
【請求項９】
保証する前記機構が、
前記他のフラグメントのうちの少なくとも１つのフラグメントを受信する機構と、
前記情報の組の全部のフラグメントが前記送信キューに追加されるべきであるとの指示を前記レコードが含むかどうかを決定する機構と、
前記情報の組の全部のフラグメントが前記送信キューに追加されるべきであるとの指示を前記レコードが含むとの決定に応答して、前記少なくとも１つのフラグメントが受信された時点での前記送信キューのサイズに無関係に、前記少なくとも１つのフラグメントを前記送信キューに追加する機構と、
を更に備える、請求項８に記載の装置。
【請求項１０】
前記送信キューが前記閾値を超えたとの決定に応答して、前記フラグメントを前記送信キューに追加することを先送りする機構と、
前記情報の組の全部の他のフラグメントが受信されたとき、前記全部の他のフラグメントが前記送信キューに追加されるわけではないことを保証する機構と、
を更に備える、請求項７に記載の装置。
【請求項１１】
前記全部の他のフラグメントが前記送信キューに追加されるわけではないことを保証する前記機構が、
前記情報の組に関連したレコードを生成する機構と、
前記情報の組の全部のフラグメントが前記送信キューに追加されるべきであるわけではないとの指示を前記レコードに蓄積する機構と、
を備える、請求項１０に記載の装置。
【請求項１２】
前記全部の他のフラグメントが前記送信キューに追加されるわけではないことを保証する前記機構が、
前記他のフラグメントのうちの少なくとも１つのフラグメントを受信する機構と、
前記情報の組の全部のフラグメントが前記送信キューに追加されるべきであるわけではないとの指示を前記レコードが含むかどうかを決定する機構と、
前記情報の組の全部のフラグメントが前記送信キューに追加されるべきであるわけではないとの指示を前記レコードが含むとの決定に応答して、前記少なくとも１つのフラグメントを前記送信キューに追加することを先送りする機構と、
を更に備える、請求項１１に記載の装置。
【請求項１３】
情報の組を発送するためのコンピュータ・プログラム製品であって、
１つ以上のプロセッサに、複数のフラグメントを有する情報の組のフラグメントを受信させる命令と、
１つ以上のプロセッサに、送信キューが所定の閾値を越えたかどうかを決定させる命令と、
１つ以上のプロセッサに、前記送信キューが前記所定の閾値を越えなかったとの決定に応答して、前記フラグメントを前記送信キューに追加させる命令と、
１つ以上のプロセッサに、前記情報の組の他の全部のフラグメントが受信された時点での前記送信キューのサイズと無関係に、前記他のフラグメントが受信されたときに前記他のフラグメントを前記送信キューに追加することを保証させ、前記情報の組の全部のフラグメントが前記送信キューに追加されることを保証させる機構と、
を具備するコンピュータ・プログラム製品。
【請求項１４】
１つ以上のプロセッサに保証させる前記命令が、
１つ以上のプロセッサに、前記情報の組と関連するレコードを生成させる命令と、
前記情報の組の全部のフラグメントが前記送信キューに追加されるべきであるとの指示を前記レコードに蓄積させる命令と、
を備える、請求項１３に記載のコンピュータ・プログラム製品。
【請求項１５】
１つ以上のプロセッサに保証させる前記命令が、
１つ以上のプロセッサに、前記他のフラグメントのうちの少なくとも１つのフラグメントを受信させる命令と、
１つ以上のプロセッサに、前記情報の組の全部のフラグメントが前記送信キューに追加されるべきであるとの指示を前記レコードが含むかどうかを決定させる命令と、
１つ以上のプロセッサに、前記情報の組の全部のフラグメントが前記送信キューに追加されるべきであるとの指示を前記レコードが含むとの決定に応答して、前記少なくとも１つのフラグメントが受信された時点での前記送信キューのサイズに無関係に、前記少なくとも１つのフラグメントを前記送信キューに追加させる命令と、
を更に備える、請求項１４に記載のコンピュータ・プログラム製品。
【請求項１６】
１つ以上のプロセッサに、前記送信キューが前記閾値を超えたとの決定に応答して、前記フラグメントを前記送信キューに追加させる命令と、
１つ以上のプロセッサに、前記情報の組の全部の他のフラグメントが受信されたとき、前記全部の他のフラグメントが前記送信キューに追加されるわけではないことを保証させる命令と、
を更に備える、請求項７に記載の装置。
【請求項１７】
１つ以上のプロセッサに、前記全部の他のフラグメントが前記送信キューに追加されるわけではないことを保証させる前記命令が、
１つ以上のプロセッサに、前記情報の組に関連したレコードを生成させる命令と、
１つ以上のプロセッサに、前記情報の組の全部のフラグメントが前記送信キューに追加されるべきであるわけではないとの指示を前記レコードに蓄積させる命令と、
を備える、請求項１６に記載のコンピュータ・プログラム製品。
【請求項１８】
前記全部の他のフラグメントが前記送信キューに追加されるわけではないことを保証させる命令が、
１つ以上のプロセッサに、前記他のフラグメントのうちの少なくとも１つのフラグメントを受信させる命令と、
１つ以上のプロセッサに、前記情報の組の全部のフラグメントが前記送信キューに追加されるべきであるわけではないとの指示を前記レコードが含むかどうかを決定させる命令と、
１つ以上のプロセッサに、前記情報の組の全部のフラグメントが前記送信キューに追加されるべきであるわけではないとの指示を前記レコードが含むとの決定に応答して、前記少なくとも１つのフラグメントを前記送信キューに追加することを先送りさせる命令と、
を更に備える、請求項１７に記載のコンピュータ・プログラム製品。